(57)【要約】【課題】内燃機関に対する燃料供給量の適切な増量により排ガス浄化用の触媒の劣化を良好に抑制できるようにする。【解決手段】ハイブリッド自動車２０では、入力制限Ｗｉｎが充電電力として仮限界値Ｗｉｎ０未満となり、燃料噴射量をより増量する傾向の第２ＯＴ増量係数設定用マップが設定されると（Ｓ２８０）、その設定から所定時間ｔ０が経過するまで第２ＯＴ増量係数設定用マップにより規定される増量係数を燃料噴射量が更に増量されるように補正するため過渡増量係数と、エンジン２２の点火時期を進角させるための進角係数とが設定され（Ｓ３００）、燃料カットの禁止時には、第２ＯＴ増量係数設定用マップの設定から所定時間ｔ０が経過するまでの間、第２ＯＴ増量係数設定用マップにより規定される増量係数と過渡増量係数とに基づく燃料噴射量の増量と、進角係数を用いた点火時期の進角とが実行される。【選択図】図９
2007168563.tif 000002
【特許請求の範囲】
【請求項１】
内燃機関と、
前記内燃機関から排出される排ガスを浄化するための触媒を含む浄化手段と、
何れかの車軸である第１車軸と前記内燃機関の出力軸とに接続されて電力と動力の入出力を伴って前記第１車軸および前記出力軸に動力を入出力可能な電力動力入出力手段と、
前記第１車軸または該第１車軸とは異なる車軸の何れかである第２車軸に動力を入出力可能な電動機と、
前記電力動力入出力手段および前記電動機との間で電力をやりとり可能な蓄電手段と、
前記蓄電手段の状態に基づいて該蓄電手段の充電に許容される電力である充電許容電力を設定する充電許容電力設定手段と、
前記設定された充電許容電力に基づいて前記内燃機関に対する燃料供給の停止を禁止するか否か判定する燃料供給停止判定手段と、
前記触媒の温度を調整するための前記内燃機関に対する燃料供給量の増量分をそれぞれ規定する複数の増量制約の中から前記設定された充電許容電力に基づいて何れかの増量制約を実行用増量制約として設定すると共に、前記実行用増量制約として前記燃料供給量をより増量する傾向をもった所定の増量制約を設定するときには、その設定から所定時間が経過するまで当該所定の増量制約を前記燃料供給量の増量分が更に増量されるように補正して前記実行用増量制約として設定する燃料増量制約設定手段と、
走行に要求される要求駆動力を設定する要求駆動力設定手段と、
前記燃料供給停止判定手段による判定結果に応じて、前記設定された実行用増量制約に従った前記燃料供給量の増量を伴って前記内燃機関が運転されると共に前記設定された要求駆動力に基づく駆動力が出力されるように前記内燃機関と前記電力動力入出力手段と前記電動機とを制御する制御手段と、
を備えるハイブリッド車両。
【請求項２】
少なくとも前記実行用増量制約として前記所定の増量制約が設定されてから前記所定時間が経過するまで、前記内燃機関の点火時期を前記燃料供給量の増量分に基づいて進角して設定する点火時期設定手段を更に備える請求項１に記載のハイブリッド車両。
【請求項３】
請求項１または２に記載のハイブリッド車両において、
前記燃料供給停止判定手段は、前記設定された充電許容電力が充電電力として所定の限界値以上であるときに前記燃料供給の停止を禁止すべきと判断し、
前記燃料増量制約設定手段は、前記設定された充電許容電力が前記限界値よりも充電電力として大きい値である仮限界値以上であるときに前記実行用増量制約として第１の増量制約を設定する一方、前記設定された充電許容電力が充電電力として前記仮限界値未満になると前記実行用増量制約として前記第１の増量制約に比べて前記燃料供給量をより増量する傾向をもった第２の増量制約を設定し、前記実行用増量制約として前記第２の増量制約を設定するときには、その設定から所定時間が経過するまで当該第２の増量制約を燃料供給量の増量分が更に増量されるように補正して前記実行用増量制約として設定するハイブリッド車両。
【請求項４】
請求項３に記載のハイブリッド車両において、
前記触媒の温度を取得する触媒温度取得手段を更に備え、
前記燃料供給停止判定手段は、前記取得された触媒の温度が所定の温度域にあり、かつ前記設定された充電許容電力が充電電力として前記限界値以上であるときに前記燃料供給の停止を禁止すべきと判断するハイブリッド車両。
【請求項５】
前記電力動力入出力手段は、前記第１車軸と前記内燃機関の出力軸と回転可能な第３軸とに接続され、これら３軸のうちの何れか２軸に入出力される動力に基づいて定まる動力を残余の軸に入出力する３軸式動力入出力手段と、前記第３軸に動力を入出力可能な発電機とを備える請求項１から４の何れかに記載のハイブリッド車両。
【請求項６】
内燃機関と、該内燃機関から排出される排ガスを浄化するための触媒を含む浄化手段と、何れかの車軸である第１車軸と前記内燃機関の出力軸とに接続されて電力と動力の入出力を伴って前記第１車軸および前記出力軸に動力を入出力可能な電力動力入出力手段と、前記第１車軸または該第１車軸とは異なる車軸の何れかである第２車軸に動力を入出力可能な電動機と、前記電力動力入出力手段および前記電動機との間で電力をやりとり可能な蓄電手段とを備えたハイブリッド車両の制御方法であって、
（ａ）前記蓄電手段の状態に基づいて該蓄電手段の充電に許容される電力として設定される充電許容電力を設定するステップと、
（ｂ）前記設定した充電許容電力に基づいて前記内燃機関に対する燃料供給の停止を禁止するか否か判定するステップと、
（ｃ）前記触媒の温度を調整するための前記内燃機関に対する燃料供給量の増量分をそれぞれ規定する複数の増量制約の中から前記設定された充電許容電力に基づいて何れかの増量制約を実行用増量制約として設定するステップと、
（ｄ）前記実行用増量制約として前記燃料供給量をより増量する傾向をもった所定の増量制約を設定するときに、その設定から所定時間が経過するまで当該所定の増量制約を燃料供給量の増量分が更に増量されるように補正するステップと、
（ｅ）ステップ（ｂ）における判定結果に応じて、前記設定した実行用増量制約に従った前記燃料供給量の増量を伴って前記内燃機関が運転されると共に走行に要求される駆動力が出力されるように前記内燃機関と前記電力動力入出力手段と前記電動機とを制御するステップと、
を含むハイブリッド車両の制御方法。
【発明の詳細な説明】
【技術分野】
【０００１】
本発明は、ハイブリッド車両およびその制御方法に関する。
【背景技術】
【０００２】
従来から、ハイブリッド車両の一例として、内燃機関の動力を駆動軸に伝達するトルクコンバータと自動変速機との間にモータジェネレータを配置したものが知られている（例えば、特許文献１参照。）。このハイブリッド車両では、触媒の温度が予め定められた判断基準値よりも高い状態にあると判断された場合には、高温下でリーン雰囲気に晒されることによる触媒の劣化を抑制すべく、内燃機関の燃料カットを抑制する制御が実行される。すなわち、このハイブリッド車両では、触媒が高温状態にあるときには、所定条件下でアクセルオフ等に基づく減速要求がなされても燃料カットが禁止され、燃料カットの禁止に伴う減速度の低下を補うためにモータジェネレータにより回生制動力を発生させ、回生電力を二次電池等の蓄電装置に蓄えている。更に、このハイブリッド車両では、触媒が高温状態にあるときにアクセルオフ等に基づく減速要求がなされた場合、モータジェネレータによる回生電力が蓄電装置の充電に許容される電力である充電許容電力を超えるおそれがあれば、モータジェネレータによる回生制動力に代えて、要求される制動力を油圧ブレーキにより発生させている。また、従来から、ハイブリッド自動車の一例として、主として高温状態にある排ガス浄化用の触媒がリーン雰囲気に晒されて劣化するのを抑制するために、エンジンの間欠運転等に伴ってエンジンを停止させる際に、燃焼室に供給する燃料の量を従前の状態よりも増加させる燃料増大化処理を実行した後、燃料供給を停止させる処理を実行するものが知られている（例えば、特許文献２参照。）。なお、車両に搭載される内燃機関としては、排気系部品が高温状態にあるときに燃料供給量を増量すると共に点火時期を進角させるものも知られている（例えば、特許文献３参照。）。
【特許文献１】特開２００３−２０７０４３号公報
【特許文献２】特開２００４−１７６７１０号公報
【特許文献３】特開２０００−０４５９２２号公報
【発明の開示】
【発明が解決しようとする課題】
【０００３】
上述のように、ハイブリッド車両では、減速要求がなされたときに回生電力が蓄電装置の充電許容電力を超えるおそれがある場合、モータジェネレータによる回生制動力に代えて油圧ブレーキにより要求される制動力を発生させれば、触媒が高温状態にあってもその劣化を抑制すべく内燃機関における燃料カットを禁止することができる。しかしながら、アクセルオフ等に基づく減速力を油圧ブレーキにより速やかに発生させるのは容易ではなく、その制御も煩雑となるので、回生電力が充電許容電力を超えるおそれがある場合には、できるだけ燃料カットを許容してエンジンブレーキによる制動力を得ることが好ましい。そして、このように蓄電装置の充電許容電力との関係から燃料カットの禁止を解除しても触媒の劣化を抑制できるようにするには、充電許容電力に基づいて燃料カットの禁止が解除されるまでに、燃料供給量を増量して触媒の温度を調整しておくとよい。ただし、充電許容電力に基づく燃料カットの禁止を解除すべきタイミングは、様々な条件によって変化するものであり、ごく単純に燃料供給量を増量したのでは、蓄電装置の充電許容電力との関係から燃料カットの禁止を解除したときに触媒を劣化抑制可能な状態にしておけなくなるおそれもある。
【０００４】
そこで、本発明によるハイブリッド車両およびその制御方法は、内燃機関に対する燃料供給量の適切な増量により排ガス浄化用の触媒の劣化を良好に抑制できるようにすることを目的の一つとする。また、本発明によるハイブリッド車両およびその制御方法は、燃料供給量を増量して排ガス浄化用の触媒の劣化を抑制する際に触媒の温度低下を促進させることを目的の一つとする。
【課題を解決するための手段】
【０００５】
本発明によるハイブリッド車両およびその制御方法は、上述の目的の少なくとも一部を達成するために以下の手段を採っている。
【０００６】
本発明によるハイブリッド車両は、
内燃機関と、
前記内燃機関から排出される排ガスを浄化するための触媒を含む浄化手段と、
何れかの車軸である第１車軸と前記内燃機関の出力軸とに接続されて電力と動力の入出力を伴って前記第１車軸および前記出力軸に動力を入出力可能な電力動力入出力手段と、
前記第１車軸または該第１車軸とは異なる車軸の何れかである第２車軸に動力を入出力可能な電動機と、
前記電力動力入出力手段および前記電動機との間で電力をやりとり可能な蓄電手段と、
前記蓄電手段の状態に基づいて該蓄電手段の充電に許容される電力である充電許容電力を設定する充電許容電力設定手段と、
前記設定された充電許容電力に基づいて前記内燃機関に対する燃料供給の停止を禁止するか否か判定する燃料供給停止判定手段と、
前記触媒の温度を調整するための前記内燃機関に対する燃料供給量の増量分をそれぞれ規定する複数の増量制約の中から前記設定された充電許容電力に基づいて何れかの増量制約を実行用増量制約として設定すると共に、前記実行用増量制約として前記燃料供給量をより増量する傾向をもった所定の増量制約を設定するときには、その設定から所定時間が経過するまで、当該所定の増量制約を前記燃料供給量の増量分が更に増量されるように補正して前記実行用増量制約として設定する燃料増量制約設定手段と、
走行に要求される要求駆動力を設定する要求駆動力設定手段と、
前記燃料供給停止判定手段による判定結果に応じて、前記設定された実行用増量制約に従った前記燃料供給量の増量を伴って前記内燃機関が運転されると共に前記設定された要求駆動力に基づく駆動力が出力されるように前記内燃機関と前記電力動力入出力手段と前記電動機とを制御する制御手段と、
を備えるものである。
【０００７】
このハイブリッド自動車では、蓄電手段の充電に許容される電力として設定される充電許容電力に基づいて、触媒の温度を調整するための内燃機関に対する燃料供給量の増量分をそれぞれ規定する複数の増量制約の中から何れかの増量制約が実行用増量制約として設定されるが、実行用増量制約として燃料供給量をより増量する傾向をもった所定の増量制約が設定される場合、当該所定の増量制約は、その設定から所定時間が経過するまで燃料供給量の増量分が更に増量されるように補正された上で実行用増量制約として設定される。そして、蓄電手段の状態に基づいて設定された充電許容電力に基づく燃料供給の停止を禁止するか否かの判定結果に応じて、設定された実行用増量制約に従った燃料供給量の増量を伴って内燃機関が運転されると共に、走行に要求される要求駆動力に基づく駆動力が出力されるように内燃機関と電力動力入出力手段と電動機とが制御される。このように、実行用増量制約として燃料供給量をより増量する傾向をもった所定の増量制約を設定する際には、その設定後一時的に当該所定の増量制約に基づいて本来規定されるものよりも多くの燃料を内燃機関に供給することにより、浄化手段の触媒の温度を早期に低下させることが可能となるので、充電許容電力に基づいて内燃機関に対する燃料供給の停止の禁止が解除されるまでに触媒の温度を十分に低下させておき、燃料供給が停止されたときに排ガス浄化用の触媒の劣化を良好に抑制することが可能となる。
【０００８】
また、本発明によるハイブリッド車両は、少なくとも前記実行用増量制約として前記所定の増量制約が設定されてから前記所定時間が経過するまで、前記内燃機関の点火時期を前記燃料供給量の増量分に基づいて進角して設定する点火時期設定手段を更に備えてもよい。このように、燃料供給量の増量に併せて点火時期を進角させることにより、内燃機関から排出される排ガスの温度をより低下させることが可能となるので、触媒の温度低下をより促進させることができる。
【０００９】
更に、本発明によるハイブリッド車両において、前記燃料供給停止判定手段は、前記設定された充電許容電力が充電電力として所定の限界値以上であるときに前記燃料供給の停止を禁止すべきと判断してもよく、前記燃料増量制約設定手段は、前記設定された充電許容電力が前記限界値よりも充電電力として大きい値である仮限界値以上であるときに前記実行用増量制約として第１の増量制約を設定する一方、前記設定された充電許容電力が充電電力として前記仮限界値未満になると前記実行用増量制約として前記第１の増量制約に比べて前記燃料供給量をより増量する傾向をもった第２の増量制約を設定し、前記実行用増量制約として前記第２の増量制約を設定するときには、その設定から所定時間が経過するまで当該第２の増量制約を燃料供給量の増量分が更に増量されるように補正して前記実行用増量制約として設定するものであってもよい。このように、充電許容電力が充電電力として仮限界値未満となったときに、実行用増量制約として燃料供給量をより増量する傾向をもった第２の増量制約を設定すると共に、その設定後一時的に当該第２の増量制約に基づいて本来規定されるものよりも多くの燃料を内燃機関に供給すれば、浄化手段の触媒の温度を早期に低下させることが可能となるので、充電許容電力が仮限界値未満となった後に限界値に達して燃料供給の停止の禁止が解除されるまでに触媒の温度を十分に低下させておくことが可能となる。
【００１０】
また、本発明によるハイブリッド車両において、前記触媒の温度を取得する触媒温度取得手段を更に備えてもよく、前記燃料供給停止判定手段は、前記取得された触媒の温度が所定の温度域にあり、かつ前記設定された充電許容電力が充電電力として前記限界値以上であるときに前記燃料供給の停止を禁止すべきと判断するものであってもよい。
【００１１】
そして、本発明によるハイブリッド車両において、前記電力動力入出力手段は、前記第１車軸と前記内燃機関の出力軸と回転可能な第３軸とに接続され、これら３軸のうちの何れか２軸に入出力される動力に基づいて定まる動力を残余の軸に入出力する３軸式動力入出力手段と、前記第３軸に動力を入出力可能な発電機とを備えるものであってもよい。
【００１２】
本発明によるハイブリッド車両の制御方法は、内燃機関と、該内燃機関から排出される排ガスを浄化するための触媒を含む浄化手段と、何れかの車軸である第１車軸と前記内燃機関の出力軸とに接続されて電力と動力の入出力を伴って前記第１車軸および前記出力軸に動力を入出力可能な電力動力入出力手段と、前記第１車軸または該第１車軸とは異なる車軸の何れかである第２車軸に動力を入出力可能な電動機と、前記電力動力入出力手段および前記電動機との間で電力をやりとり可能な蓄電手段とを備えたハイブリッド車両の制御方法であって、
（ａ）前記蓄電手段の状態に基づいて該蓄電手段の充電に許容される電力として設定される充電許容電力を設定するステップと、
（ｂ）前記設定した充電許容電力に基づいて前記内燃機関に対する燃料供給の停止を禁止するか否か判定するステップと、
（ｃ）前記触媒の温度を調整するための前記内燃機関に対する燃料供給量の増量分をそれぞれ規定する複数の増量制約の中から前記設定された充電許容電力に基づいて何れかの増量制約を実行用増量制約として設定するステップと、
（ｄ）前記実行用増量制約として前記燃料供給量をより増量する傾向をもった所定の増量制約を設定するときに、その設定から所定時間が経過するまで当該所定の増量制約を燃料供給量の増量分が更に増量されるように補正するステップと、
（ｅ）ステップ（ｂ）における判定結果に応じて、前記設定した実行用増量制約に従った前記燃料供給量の増量を伴って前記内燃機関が運転されると共に走行に要求される駆動力が出力されるように前記内燃機関と前記電力動力入出力手段と前記電動機とを制御するステップと、
を含むものである。
【００１３】
この方法のように、実行用増量制約として燃料供給量をより増量する傾向をもった所定の増量制約を設定する際には、その設定後一時的に当該所定の増量制約に基づいて本来規定されるものよりも多くの燃料を内燃機関に供給することにより、浄化手段の触媒の温度を早期に低下させることが可能となる。従って、この方法によれば、充電許容電力に基づいて内燃機関に対する燃料供給の停止の禁止が解除されるまでに触媒の温度を十分に低下させておき、燃料供給が停止されたときに排ガス浄化用の触媒の劣化を良好に抑制することが可能となる。
【発明を実施するための最良の形態】
【００１４】
次に、本発明を実施するための最良の形態を実施例を用いて説明する。
【実施例】
【００１５】
図１は、本発明の実施例に係るハイブリッド車両の概略構成図である。図１に示すハイブリッド自動車２０は、エンジン２２と、エンジン２２の出力軸としてのクランクシャフト２６にダンパ２８を介して接続された３軸式の動力分配統合機構３０と、動力分配統合機構３０に接続された発電可能なモータＭＧ１と、動力分配統合機構３０に接続された駆動軸としてのリングギヤ軸３２ａに取り付けられた減速ギヤ３５と、この減速ギヤ３５に接続されたモータＭＧ２と、動力出力装置全体をコントロールするハイブリッド用電子制御ユニット（以下、「ハイブリッドＥＣＵ」という）７０とを備える。
【００１６】
エンジン２２は、例えばガソリンや軽油といった炭化水素系の燃料を用いて動力を出力可能な内燃機関として構成されている。エンジン２２は、図２からわかるように、エアクリーナ１２２により清浄された空気をスロットルバルブ１２４を介して吸気ポートに取り入れると共に燃料噴射弁１２６からガソリンを噴射して吸入空気とガソリンとを混合させ、この混合気を吸気バルブ１２８を介して燃焼室に吸入すると共に点火プラグ１３０による電気火花によって爆発燃焼させて、そのエネルギにより押し下げられるピストン１３２の往復運動をクランクシャフト２６の回転運動に変換するものである。エンジン２２からの排気ガスは、一酸化炭素（ＣＯ）や炭化水素（ＨＣ）、窒素酸化物（ＮＯｘ）といった有害成分を浄化する排ガス浄化触媒（三元触媒）を備えた浄化装置１３４を介して外部へと排出される。浄化装置１３４の排ガス浄化触媒は、白金（Ｐｔ）やパラジウム（Ｐｄ）等の酸化触媒と、ロジウム（Ｒｈ）等の還元触媒と、セリア（ＣｅＯ2）等の助触媒等から構成されるとよい。この場合、酸化触媒の作用により排ガスに含まれるＣＯやＨＣが水（Ｈ2Ｏ）や二酸化炭素（ＣＯ2）に浄化され、還元触媒の作用により排ガスに含まれるＮＯｘが窒素（Ｎ2）や酸素（Ｏ2）に浄化される。
【００１７】
このように構成されるエンジン２２は、エンジン用電子制御ユニット（以下、エンジンＥＣＵという）２４により制御される。エンジンＥＣＵ２４は、図２に示すように、ＣＰＵ２４ａを中心とするマイクロプロセッサとして構成されており、ＣＰＵ２４ａの他に処理プログラムを記憶するＲＯＭ２４ｂと、データを一時的に記憶するＲＡＭ２４ｃと、計時指令に応じて計時処理を実行するタイマ２４ｄと、図示しない入出力ポートおよび通信ポートとを備える。例えば、エンジンＥＣＵ２４には、クランクシャフト２６の回転位置を検出するクランクポジションセンサ１４０からのクランクポジション、エンジン２２の冷却水の温度を検出する水温センサ１４２からの冷却水温、燃焼室内の圧力である筒内圧力を検出する圧力センサ１４３からの筒内圧力、燃焼室へ吸排気を行なう吸気バルブ１２８や排気バルブを開閉するカムシャフトの回転位置を検出するカムポジションセンサ１４４からのカムポジション、スロットルバルブ１２４のポジションを検出するスロットルバルブポジションセンサ１４６からのスロットルポジション、吸気管に設けられたエアフローメータ１４８からの吸入空気量ＧＡ、同様に吸気管に設けられた温度センサ１４９からの吸気温度、浄化装置１３４に設けられた温度センサ１３５からの触媒床温Ｔｃａｔ等が入力ポートを介して入力されている。また、エンジンＥＣＵ２４からは、エンジン２２を駆動するための種々の制御信号、例えば、燃料噴射弁１２６への駆動信号や、スロットルバルブ１２４のポジションを調節するスロットルモータ１３６への駆動信号、イグナイタと一体化されたイグニッションコイル１３８への制御信号、吸気バルブ１２８の開閉タイミングを変更可能な可変バルブタイミング機構１５０への制御信号等が出力ポートを介して出力される。なお、エンジンＥＣＵ２４は、ハイブリッド用電子制御ユニット７０と通信しており、ハイブリッド用電子制御ユニット７０からの制御信号によりエンジン２２を運転制御すると共に必要に応じてエンジン２２の運転状態に関するデータをハイブリッドＥＣＵ７０に出力する。
【００１８】
動力分配統合機構３０は、外歯歯車のサンギヤ３１と、このサンギヤ３１と同心円上に配置された内歯歯車のリングギヤ３２と、サンギヤ３１に噛合すると共にリングギヤ３２に噛合する複数のピニオンギヤ３３と、複数のピニオンギヤ３３を自転かつ公転自在に保持するキャリア３４とを備え、サンギヤ３１とリングギヤ３２とキャリア３４とを回転要素として差動作用を行なう遊星歯車機構として構成されている。キャリア３４にはエンジン２２のクランクシャフト２６が、サンギヤ３１にはモータＭＧ１が、リングギヤ３２にはリングギヤ軸３２ａを介して減速ギヤ３５がそれぞれ連結されており、動力分配統合機構３０は、モータＭＧ１が発電機として機能するときにはキャリア３４から入力されるエンジン２２からの動力をサンギヤ３１側とリングギヤ３２側にそのギヤ比に応じて分配し、モータＭＧ１が電動機として機能するときにはキャリア３４から入力されるエンジン２２からの動力とサンギヤ３１から入力されるモータＭＧ１からの動力を統合してリングギヤ３２側に出力する。リングギヤ３２に出力された動力は、リングギヤ軸３２ａからギヤ機構６０およびデファレンシャルギヤ６２を介して、最終的には車両の駆動輪６３ａ，６３ｂに出力される。
【００１９】
モータＭＧ１およびモータＭＧ２は、何れも発電機として作動することができると共に電動機として作動可能な周知の同期発電電動機として構成されており、インバータ４１，４２を介してバッテリ５０と電力のやりとりを行なう。インバータ４１，４２とバッテリ５０とを接続する電力ライン５４は、各インバータ４１，４２が共用する正極母線および負極母線として構成されており、モータＭＧ１，ＭＧ２の何れかで発電される電力を他のモータで消費することができるようになっている。したがって、バッテリ５０は、モータＭＧ１，ＭＧ２の何れかから生じた電力や不足する電力により充放電されることになる。なお、モータＭＧ１，ＭＧ２により電力収支のバランスをとるものとすれば、バッテリ５０は充放電されない。モータＭＧ１，ＭＧ２は、何れもモータ用電子制御ユニット（以下、「モータＥＣＵ」という）４０により駆動制御されている。モータＥＣＵ４０には、モータＭＧ１，ＭＧ２を駆動制御するために必要な信号、例えばモータＭＧ１，ＭＧ２の回転子の回転位置を検出する回転位置検出センサ４３，４４からの信号や図示しない電流センサにより検出されるモータＭＧ１，ＭＧ２に印加される相電流等が入力されており、モータＥＣＵ４０からは、インバータ４１，４２へのスイッチング制御信号が出力されている。モータＥＣＵ４０は、ハイブリッドＥＣＵ７０と通信しており、ハイブリッドＥＣＵ７０からの制御信号によってモータＭＧ１，ＭＧ２を駆動制御すると共に必要に応じてモータＭＧ１，ＭＧ２の運転状態に関するデータをハイブリッドＥＣＵ７０に出力する。
【００２０】
バッテリ５０は、バッテリ用電子制御ユニット（以下、「バッテリＥＣＵ」という）５２によって管理されている。バッテリＥＣＵ５２には、バッテリ５０を管理するのに必要な信号、例えば、バッテリ５０の端子間に設置された図示しない電圧センサからの端子間電圧、バッテリ５０の出力端子に接続された電力ライン５４に取り付けられた図示しない電流センサからの充放電電流、バッテリ５０に取り付けられた温度センサ５１からの電池温度Ｔｂ等が入力されており、バッテリＥＣＵ５２は、必要に応じてバッテリ５０の状態に関するデータを通信によりハイブリッドＥＣＵ７０やエンジンＥＣＵ２４に出力する。なお、バッテリＥＣＵ５２は、バッテリ５０を管理するために電流センサにより検出された充放電電流の積算値に基づいて残容量（ＳＯＣ）も演算している。
【００２１】
ハイブリッドＥＣＵ７０は、ＣＰＵ７２を中心とするマイクロプロセッサとして構成されており、ＣＰＵ７２の他に処理プログラムを記憶するＲＯＭ７４と、データを一時的に記憶するＲＡＭ７６と、図示しない入出力ポートおよび通信ポートとを備える。ハイブリッドＥＣＵ７０には、イグニッションスイッチ８０からのイグニッション信号、シフトレバー８１の操作位置であるシフトポジションＳＰを検出するシフトポジションセンサ８２からのシフトポジションＳＰ、アクセルペダル８３の踏み込み量を検出するアクセルペダルポジションセンサ８４からのアクセル開度Ａｃｃ、ブレーキペダル８５の踏み込み量を検出するブレーキペダルポジションセンサ８６からのブレーキペダルポジションＢＰ、車速センサ８８からの車速Ｖ等が入力ポートを介して入力される。ハイブリッドＥＣＵ７０は、上述したように、エンジンＥＣＵ２４やモータＥＣＵ４０、バッテリＥＣＵ５２と通信ポートを介して接続されており、エンジンＥＣＵ２４やモータＥＣＵ４０、バッテリＥＣＵ５２と各種制御信号やデータのやりとりを行なっている。
【００２２】
上述のように構成された実施例のハイブリッド自動車２０は、運転者によるアクセルペダル８３の踏み込み量に対応するアクセル開度Ａｃｃと車速Ｖとに基づいて駆動軸としてのリングギヤ軸３２ａに出力すべき要求トルクＴｒ＊を計算し、この要求トルクＴｒ＊に対応する動力がリングギヤ軸３２ａに出力されるように、エンジン２２とモータＭＧ１とモータＭＧ２とが運転制御される。エンジン２２とモータＭＧ１とモータＭＧ２の運転制御モードとしては、要求動力に見合う動力がエンジン２２から出力されるようにエンジン２２を運転制御すると共にエンジン２２から出力される動力のすべてが動力分配統合機構３０とモータＭＧ１とモータＭＧ２とによってトルク変換されてリングギヤ軸３２ａに出力されるようモータＭＧ１およびモータＭＧ２を駆動制御するトルク変換運転モードや、要求動力とバッテリ５０の充放電に必要な電力との和に見合う動力がエンジン２２から出力されるようにエンジン２２を運転制御すると共にバッテリ５０の充放電を伴ってエンジン２２から出力される動力の全部またはその一部が動力分配統合機構３０とモータＭＧ１とモータＭＧ２とによるトルク変換を伴って要求動力がリングギヤ軸３２ａに出力されるようモータＭＧ１およびモータＭＧ２を駆動制御する充放電運転モード、エンジン２２の運転を停止してモータＭＧ２から要求動力に見合う動力をリングギヤ軸３２ａに出力するように運転制御するモータ運転モード等がある。
【００２３】
次に、実施例のハイブリッド自動車２０の動作、特に、エンジン２２の運転を伴ったアクセルオン状態でのハイブリッド自動車２０の動作について説明する。図３は、アクセルオン時にハイブリッドＥＣＵ７０により実行される駆動制御ルーチンの一例を示すフローチャートである。このルーチンは、アクセル操作状態がアクセルオン状態にあるときに所定時間毎（例えば数ｍｓｅｃ毎）に繰り返し実行される。
【００２４】
図３の駆動制御ルーチンが開始されると、ハイブリッドＥＣＵ７０のＣＰＵ７２は、まず、アクセルペダルポジションセンサ８４からのアクセル開度Ａｃｃ、車速センサ８８からの車速Ｖ、モータＭＧ１，ＭＧ２の回転数Ｎｍ１，Ｎｍ２、バッテリ５０が充放電すべき充放電要求パワーＰｂ＊、バッテリ５０の入出力制限Ｗｉｎ，Ｗｏｕｔといった制御に必要なデータの入力処理を実行する（ステップＳ１００）。この場合、モータＭＧ１，ＭＧ２の回転数Ｎｍ１，Ｎｍ２は、回転位置検出センサ４３，４４により検出されるモータＭＧ１，ＭＧ２の回転子の回転位置に基づいて計算されたものをモータＥＣＵ４０から通信により入力するものとした。充放電要求パワーＰｂ＊は、バッテリＥＣＵ５２から通信により入力するものとした。バッテリ５０の入出力制限Ｗｉｎ，Ｗｏｕｔは、温度センサ５１により検出されたバッテリ５０の電池温度Ｔｂとバッテリ５０の残容量（ＳＯＣ）とに基づいて設定されたものをバッテリＥＣＵ５２から通信により入力するものとした。なお、バッテリ５０の入出力制限Ｗｉｎ，Ｗｏｕｔは、電池温度Ｔｂに基づいて入出力制限Ｗｉｎ，Ｗｏｕｔの基本値を設定し、バッテリ５０の残容量（ＳＯＣ）に基づいて出力制限用補正係数と入力制限用補正係数とを設定し、設定した入出力制限Ｗｉｎ，Ｗｏｕｔの基本値に補正係数を乗じて設定することが可能である。図４に電池温度Ｔｂと入出力制限Ｗｉｎ，Ｗｏｕｔとの関係の一例を示し、図５にバッテリ５０の残容量（ＳＯＣ）と入出力制限Ｗｉｎ，Ｗｏｕｔの補正係数との関係の一例を示す。
【００２５】
ステップＳ１００のデータ入力処理の後、入力したアクセル開度Ａｃｃおよび車速Ｖに基づいて駆動輪６３ａ，６３ｂに接続された駆動軸としてのリングギヤ軸３２ａに出力すべき要求トルクＴｒ＊とエンジン２２に要求される要求パワーＰｅ＊とを設定する（ステップＳ１１０）。本実施例では、アクセル開度Ａｃｃおよび車速Ｖと要求トルクＴｒ＊との関係を予め定めて要求トルク設定用マップとしてＲＯＭ７４に記憶しておき、アクセル開度Ａｃｃおよび車速Ｖが与えられると当該マップからこれらに対応する要求トルクＴｒ＊を導出して設定するものとした。図６に要求トルク設定用マップの一例を示す。また、本実施例では、設定した要求トルクＴｒ＊にリングギヤ軸３２ａの回転数Ｎｒ（＝Ｎｍ２／Ｇｒ）を乗じたものとバッテリ５０が充放電すべき充放電要求パワーＰｂ＊とロスＬｏｓｓとの和としてエンジン２２に対する要求パワーＰｅ＊を設定するものとした。続いて、ステップＳ１１０で設定したエンジン２２に対する要求パワーＰｅ＊に基づいてエンジン２２の目標回転数Ｎｅ＊と目標トルクＴｅ＊とを設定する（ステップＳ１２０）。実施例では、エンジン２２を効率よく動作させる動作ラインと要求パワーＰｅ＊とに基づいてエンジン２２の目標運転ポイントとしての目標回転数Ｎｅ＊と目標トルクＴｅ＊とを設定するものとした。図７に、エンジン２２の動作ラインの一例と目標回転数Ｎｅ＊と目標トルクＴｅ＊との相関曲線とを例示する。同図に示すように、目標回転数Ｎｅ＊と目標トルクＴｅ＊は、動作ラインと要求パワーＰｅ＊（Ｎｅ＊×Ｔｅ＊）が一定となること示す相関曲線との交点から求めることができる。
【００２６】
更に、ステップＳ１２０で設定した目標回転数Ｎｅ＊とリングギヤ軸３２ａの回転数Ｎｒ（＝Ｎｍ２／Ｇｒ）と動力分配統合機構３０のギヤ比ρとに基づいて次式（１）を用いた計算によりモータＭＧ１の目標回転数Ｎｍ１＊を求めると共に、求めた目標回転数Ｎｍ１＊と現在の回転数Ｎｍ１とに基づいて次式（２）を用いた計算によりモータＭＧ１のトルク指令Ｔｍ１＊を設定する（ステップＳ１３０）。式（１）は、動力分配統合機構３０の回転要素に関連する力学的な関係式である。図８に、動力分配統合機構３０における各回転要素における回転数とトルクとの力学的な関係を表す共線図を示す。図中、左のＳ軸はモータＭＧ１の回転数Ｎｍ１に一致するサンギヤ３１の回転数を示し、Ｃ軸はエンジン２２の回転数Ｎｅに一致するキャリア３４の回転数を示し、Ｒ軸はモータＭＧ２の回転数Ｎｍ２を減速ギヤ３５のギヤ比Ｇｒで除したリングギヤ３２の回転数Ｎｒを示す。また、Ｒ軸上の２つの太線矢印は、モータＭＧ１からトルクＴｍ１を出力したときにこのトルク出力によりリングギヤ軸３２ａに作用するトルクと、モータＭＧ２から出力されるトルクＴｍ２が減速ギヤ３５を介してリングギヤ軸３２ａに作用するトルクとを示す。モータＭＧ１の目標回転数Ｎｍ１＊を求めるための式（１）は、この共線図における回転数の関係を用いれば容易に導くことができる。なお、式（１）中のρは、動力分配統合機構３０のギヤ比（サンギヤ３１の歯数／リングギヤ３２の歯数）であり、式（２）中、右辺第２項の「ｋ１」は比例項のゲインであり、右辺第３項の「ｋ２」は積分項のゲインである。
【００２７】
Nm1*＝Ne*・(1+ρ)/ρ−Nm2/(Gr・ρ)  …（１）
Tm1*＝前回Tm1*＋k1(Nm1*−Nm1)＋k2∫(Nm1*−Nm1)dt  …（２）
【００２８】
トルク指令Ｔｍ１＊を設定すると、次式（３）および式（４）に従ってステップＳ１００で入力したバッテリ５０の出力制限Ｗｏｕｔまたは入力制限Ｗｉｎと、設定したモータＭＧ１のトルク指令Ｔｍ１＊に現在のモータＭＧ１の回転数Ｎｍ１を乗じて得られるモータＭＧ１の消費電力との偏差をモータＭＧ２の回転数Ｎｍ２で除することによりモータＭＧ２から出力してもよいトルクの上下限としてのトルク制限Ｔｍａｘ，Ｔｍｉｎを計算する（ステップＳ１４０）。更に、要求トルクＴｒ＊とトルク指令Ｔｍ１＊と動力分配統合機構３０のギヤ比ρと減速ギヤ３５のギヤ比Ｇｒとを用いて次式（５）に従ってモータＭＧ２から出力すべきトルクとしての仮モータトルクＴｍ２ｔｍｐを計算し（ステップＳ１５０）、計算した仮モータトルクＴｍ２ｔｍｐをトルク制限Ｔｍａｘ，Ｔｍｉｎで制限することによりモータＭＧ２のトルク指令Ｔｍ２＊を設定する（ステップＳ１６０）。このようにしてモータＭＧ２のトルク指令Ｔｍ２＊を設定することにより、リングギヤ軸３２ａに出力する要求トルクＴｒ＊を基本的にバッテリ５０の入出力制限Ｗｉｎ，Ｗｏｕｔの範囲内に制限したトルクとして設定することができる。なお、式（５）は、図８の共線図から容易に導き出すことができる。こうしてエンジン２２の目標回転数Ｎｅ＊や目標トルクＴｅ＊、モータＭＧ１，ＭＧ２のトルク指令Ｔｍ１＊，Ｔｍ２＊を設定すると、エンジン２２の目標回転数Ｎｅ＊および目標トルクＴｅ＊をエンジンＥＣＵ２４に、モータＭＧ１，ＭＧ２のトルク指令Ｔｍ１＊，Ｔｍ２＊をモータＥＣＵ４０にそれぞれ送信する（ステップＳ１７０）。目標回転数Ｎｅ＊と目標トルクＴｅ＊とを受信したエンジンＥＣＵ２４は、受信した目標回転数Ｎｅ＊と目標トルクＴｅ＊とに基づいて、ＲＯＭ２４ｂに記憶された図示しない燃料噴射量設定用マップやスロットル開度設定用マップ等を用いてエンジン２２に対する燃料噴射量やスロットルバルブ１２４のポジション（スロットル開度）等を決定すると共に、ＲＯＭ２４ｂに記憶された図示しない点火時期設定用マップを用いてエンジン２２の点火時期を決定し、目標回転数Ｎｅ＊と目標トルクＴｅ＊とを得るための制御を実行する。また、トルク指令Ｔｍ１＊，Ｔｍ２＊を受信したモータＥＣＵ４０は、トルク指令Ｔｍ１＊に従ってモータＭＧ１が駆動されると共にトルク指令Ｔｍ２＊に従ってモータＭＧ２が駆動されるようにインバータ４１，４２のスイッチング素子のスイッチング制御を行なう。
【００２９】
Tmax=(Wout*−Tm1*・Nm1)/Nm2  …（３）
Tmin=(Win−Tm1*・Nm1)/Nm2  …（４）
Tm2tmp=(Tr*＋Tm1*/ρ)/Gr  …（５）
【００３０】
ここで、上述のようなエンジン２２の運転を伴ったアクセルオン状態を経て車速Ｖが比較的高い所定車速以上になっているときに運転者によりアクセルペダル８３の踏み込みが解除されて減速要求がなされた場合には、基本的にエンジン２２に対する燃料噴射が停止され、主としてエンジンブレーキを利用しながら図６の要求トルク設定用マップから定まるアクセル開度が０％（アクセルオフ）のときの要求トルク（制動トルク）Ｔｒ＊が得られるようにエンジン２２、モータＭＧ１およびＭＧ２が制御される。ただし、浄化装置１３４の排ガス浄化触媒が高温状態にあるときにエンジン２２に対する燃料噴射が停止されると、浄化装置１３４に対して燃焼室を通過した空気のみが供給され、排ガス浄化触媒がリーン雰囲気に晒されることにより酸化触媒や還元触媒が粒成長して表面積が低下してしまい、排ガス浄化触媒の劣化（浄化機能の低下）を招くおそれがある。このため、排ガス浄化触媒の温度（触媒床温Ｔｃａｔ）によっては、エンジン２２に対する燃料噴射の停止（以下、「燃料カット」という）を禁止した上で、適宜エンジン２２に対する燃料噴射量を増量補正して排ガス浄化触媒の触媒床温Ｔｃａｔを調整することが好ましい。一方、燃料カットが禁止された状態でアクセルオフに基づく減速要求がなされた場合、ハイブリッド自動車２０では、エンジン２２、モータＭＧ１およびＭＧ２を制御することにより、所定の条件に従ってエンジン２２への燃料噴射と点火（ファイアリング）を継続すると共にスロットルバルブ１２４の開度を調整してエンジン２２の回転数を徐々に所定回転数（例えばアイドル時の回転数）まで低下させながら、モータＭＧ２にエンジン２２から出力されるトルクを相殺しつつ図６の要求トルク設定用マップから定まるアクセル開度が０％のときの要求トルク（制動トルク）Ｔｒ＊を出力させることができる。この場合、モータＭＧ２は制動力の発生に伴って電力を発生し、その回生電力はバッテリ５０に蓄えられることになるが、バッテリ５０の充電に許容される電力である充電許容電力としての入力制限Ｗｉｎの値によっては、このようなモータＭＧ２による回生が制限されることもある。このため、本実施例のハイブリッド自動車２０では、浄化装置１３４の排ガス浄化触媒の触媒床温Ｔｃａｔと、バッテリ５０の入力制限Ｗｉｎとの双方を考慮しながらエンジン２２に対する燃料噴射量を増量補正して排ガス浄化触媒の劣化を抑制できるように、以下に説明する触媒劣化抑制判定ルーチンが実行される。
【００３１】
図９は、触媒劣化抑制判定ルーチンの一例を示すフローチャートであり、このルーチンは、エンジンＥＣＵ２４により例えば数ｍＳｅｃ毎に繰り返し実行される。図９の触媒劣化抑制判定ルーチンが開始されると、エンジンＥＣＵ２４のＣＰＵ２４ａは、まず、浄化装置１３４に設けられた温度センサ１３５からの触媒床温Ｔｃａｔ、バッテリ５０の入力制限Ｗｉｎといった判定に必要なデータの入力処理を実行する（ステップＳ２００）。この場合、触媒床温Ｔｃａｔについては、浄化装置１３４の温度センサ１３５が省略されている場合には、エンジン２２の回転数Ｎｅや吸入空気量、後述の燃料噴射量の増量分等から推定されるものを入力してもよい。また、バッテリ５０の入力制限Ｗｉｎは、バッテリＥＣＵ５２から通信により入力するものとした。そして、ステップＳ２００のデータ入力処理の後、入力した触媒床温Ｔｃａｔが予め定められている第１の閾値Ｔｒｅｆ１以上であるか否かを判定する（ステップＳ２１０）。ここで用いられる第１の閾値Ｔｒｅｆ１は、排ガス浄化触媒の劣化が抑制される程度に触媒床温Ｔｃａｔの上昇を抑制するときの第１の目標床温Ｔ１（例えば９２０℃）に基づいて定められるものである。
【００３２】
ステップＳ２１０にて触媒床温Ｔｃａｔが第１の閾値Ｔｒｅｆ１以上であって排ガス浄化触媒が高温状態にあると判断される場合には、ステップＳ２００で入力した入力制限Ｗｉｎが仮限界値Ｗｉｎ０以下であるか否かを判定する（ステップＳ２２０）。バッテリ５０の入力制限Ｗｉｎに関連する閾値としての仮限界値Ｗｉｎ０は、アクセルオフ時に要求されるトルク（制動トルク）を燃料カットせずにモータＭＧ２による回生制動力でまかなった場合におけるバッテリ５０の入力制限値Ｗｉｎの限界値（充電電力としての最小値）Ｗｉｎ１よりも小さな値、すなわち充電電力として大きな（余裕をもった）値として定められるものであり、限界値Ｗｉｎ１と共に予め実験・解析を経て求められる値である。なお、入力制限Ｗｉｎは本来負の値であるので、入力制限Ｗｉｎが仮限界値Ｗｉｎ０以下である、すなわち入力制限Ｗｉｎが仮限界値Ｗｉｎ０を充電電力として上回るということは、バッテリ５０を充電する電力として比較的大きな値（絶対値が大きな値）を設定できることを意味する。入力制限Ｗｉｎが仮限界値Ｗｉｎ０以下である場合には、仮禁止フラグＦｔを値０に設定した上で（ステップＳ２３０）、上述の燃料噴射量設定用マップを用いて設定されるエンジン２２に対する燃料噴射量を増量補正する増量係数を設定するためのマップとして図１０（ａ）に例示する第１ＯＴ増量係数設定用マップをＲＯＭ２４ｂから読み出して設定すると共に、上述のスロットル開度設定用マップを用いて設定されるスロットルバルブ１２４の開度を補正するための図示しない第１ＴＡ補正用マップと、上述の点火時期設定用マップを用いて設定されるエンジン２２の点火時期を補正するための図示しない第１ＳＡ補正用マップとをＲＯＭ２４ｂから読み出して設定し（ステップＳ２４０）、更に、燃料カットを禁止すべく、燃料カットを許容する際に値０とされる燃料カット禁止フラグＦｃを値１に設定して（ステップＳ２５０）、本ルーチンを一旦終了させる。
【００３３】
こうしてステップＳ２４０にて増量係数等を設定するためのマップとして第１ＯＴ増量係数設定用マップ、第１ＴＡ補正用マップおよび第１ＳＡ補正用マップが設定されると、ステップＳ２５０で燃料カットが禁止され、エンジンＥＣＵ２４は、ハイブリッドＥＣＵ７０からの指令値である目標回転数Ｎｅ＊および目標トルクＴｅ＊や燃料カット禁止時の所定の制約に基づいてエンジン２２に対する燃料噴射量、スロットルバルブ１２４の開度およびエンジン２２の点火時期を設定する際に、これらのマップから導出される燃料噴射量の増量係数やスロットル開度の補正係数、点火時期の補正係数に応じた燃料噴射量の増量やスロットル開度補正、点火時期の補正を実行する。第１ＯＴ増量係数設定用マップは、図１０（ａ）に例示するように、エンジン２２の目標回転数Ｎｅ＊と吸入空気量に関連した体積効率ＫＬとに応じて増量係数を規定するものであり、基本的に目標回転数Ｎｅ＊と体積効率ＫＬとが大きくなるにつれて増量係数として大きな値をとるように作成されている。本実施例において、第１ＯＴ増量係数設定用マップは、エンジン２２の目標回転数Ｎｅ＊と体積効率ＫＬとに応じて触媒床温Ｔｃａｔを概ね上述の第１の目標床温Ｔ１に保ってその上昇を抑制するための燃料噴射量の増量係数を規定するように作成されている。これにより、第１ＯＴ増量係数設定用マップが設定された際には、燃料噴射量の増量分は比較的少なくなるので、排ガス浄化触媒の劣化を抑制するための温度調整に要する燃費を低減することができる。なお、図示しない第１ＴＡ補正用マップは、第１ＯＴ増量係数設定用マップに基づいて燃料噴射量を増量したことに起因する目標トルクＴｅ＊と実際にエンジン２２から出力されるトルクとの偏差がキャンセルされるように目標回転数Ｎｅ＊と目標トルクＴｅ＊とに応じたスロットル開度の補正係数を規定するものとして予め作成される。すなわち、第１ＴＡ補正用マップにおけるスロットル開度の補正係数は、例えば燃料噴射量の増量時にトルクが増加する運転領域についてはスロットル開度を通常よりも小さくするものとして設定され、燃料噴射量の増量時にトルクが減少する運転領域についてはスロットル開度を通常よりも小さくするように定められる。これにより、第１ＯＴ増量係数設定用マップを用いて燃料噴射量の増量補正が実行された際に、目標トルクＴｅ＊と実際にエンジン２２から出力されるトルクとの偏差に起因するショックを低減することができる。また、第１ＳＡ補正用マップは、第１ＯＴ増量係数設定用マップに基づく燃料噴射量の増量分に応じてノッキングが発生しない程度に点火時期を進角させるための補正係数を規定するものとして予め作成されるものである。
【００３４】
これに対して、ステップＳ２２０にて入力制限Ｗｉｎが仮限界値Ｗｉｎ０を上回っていると判断された場合には、入力制限Ｗｉｎが仮限界値Ｗｉｎ０以下である場合に値０とされる仮禁止フラグＦｔを値１に設定した上で（ステップＳ２６０）、ステップＳ２００で入力した入力制限Ｗｉｎが上述の限界値Ｗｉｎ１以下であるか否かを判定する（ステップＳ２７０）。入力制限Ｗｉｎが限界値Ｗｉｎ１以下である、すなわち充電電力として限界値Ｗｉｎ１以上である場合には、上述の燃料噴射量設定用マップを用いて設定されたエンジン２２に対する燃料噴射量を増量補正する増量係数を設定するためのマップとして第１ＯＴ増量係数設定用マップに比べて燃料噴射量をより増量する傾向をもった図１０（ｂ）に例示する第２ＯＴ増量係数設定用マップをＲＯＭ２４ｂから読み出して設定すると共に、上述のスロットル開度設定用マップを用いて設定されたスロットルバルブ１２４の開度を補正するための第２ＴＡ補正用マップ（図示省略）と、上述の点火時期設定用マップを用いて設定されるエンジン２２の点火時期を補正するための図示しない第２ＳＡ補正用マップとをＲＯＭ２４ｂから読み出して設定する（ステップＳ２８０）。
【００３５】
第２ＯＴ増量係数設定用マップも、図１０（ｂ）に例示するように、エンジン２２の目標回転数Ｎｅ＊と吸入空気量に関連した体積効率ＫＬとに応じて増量係数を規定するものであり、基本的に目標回転数Ｎｅ＊と体積効率ＫＬとが大きくなるにつれて増量係数として大きな値をとるように作成されている。本実施例において、第２ＯＴ増量係数設定用マップは、エンジン２２の目標回転数Ｎｅ＊と体積効率ＫＬとに応じて触媒床温Ｔｃａｔを排ガス浄化触媒がリーン雰囲気に晒されても劣化するおそれの少ない第２の目標床温Ｔ２（例えば８５０℃）まで低下させるための燃料噴射量の増量係数を規定するように作成されている。すなわち、第２ＯＴ増量係数設定用マップは、第１ＯＴ増量係数設定用マップに比べて目標回転数Ｎｅ＊と体積効率ＫＬとが比較的低いうちにより大きな増量係数をとるように作成されており、第２ＯＴ増量係数設定用マップの設定時には、第１ＯＴ増量係数設定用マップの設定時に比べて、基本的に車速Ｖが高いほど燃料噴射量の増量分が多くなる。また、図示しない第２ＴＡ補正用マップは、第２ＯＴ増量係数設定用マップに基づいて燃料噴射量を増量したことに起因する目標トルクＴｅ＊と実際にエンジン２２から出力されるトルクとの偏差がキャンセルされるように目標回転数Ｎｅ＊と目標トルクＴｅ＊とに応じたスロットル開度の補正係数を規定するものとして予め作成される。これにより、第２ＯＴ増量係数設定用マップを用いて燃料噴射量の増量補正が実行された際にも、目標トルクＴｅ＊と実際にエンジン２２から出力されるトルクとの偏差に起因するショックを低減することができる。更に、第２ＳＡ補正用マップは、第２ＯＴ増量係数設定用マップに基づく燃料噴射量の増量分に応じてノッキングが発生しない程度に点火時期を進角させるための補正係数を規定するものとして予め作成されるものである。
【００３６】
このように、実施例のハイブリッド自動車２０では、バッテリ５０の入力制限Ｗｉｎと仮限界値Ｗｉｎ０との比較の結果に応じて、燃料噴射量の増量分を定めるための第１ＯＴ増量係数設定用マップと第２ＯＴ増量係数設定用マップとの何れかが選択されるが、閾値としての仮限界値Ｗｉｎ０は、第２ＯＴ増量係数設定用マップを用いて燃料噴射量を増量することを前提として次のように定められる。すなわち、仮限界値Ｗｉｎ０は、基本的に次式（６）に従い、触媒床温Ｔｃａｔが排ガス浄化触媒の劣化が抑制される程度に温度上昇を抑制するときの第１の目標床温Ｔ１に概ね一致しているときに第２ＯＴ増量係数設定用マップを用いて燃料噴射量を増量して触媒床温Ｔｃａｔを排ガス浄化触媒がリーン雰囲気に晒されても劣化するおそれの少ない第２の目標床温Ｔ２まで低下させるのに要する最小時間Ｔを実験・解析により求め、求めた最小時間Ｔに入力制限Ｗｉｎの単位時間あたりの最大変化量ΔＷｉｎを乗じた値と限界値Ｗｉｎ１とを加算することにより定められる。
【００３７】
Win0＝Win1＋ΔWin・T  …（６）
【００３８】
こうして第２ＯＴ増量係数設定用マップ等を設定したならば、ステップＳ２８０にて第２ＯＴ増量係数設定用マップ等が設定されてからの経過時間が所定時間ｔ０（例えば５秒）を超えたか否か判定する（ステップＳ２９０）。実施例では、それまで第１ＯＴ増量係数設定用マップ等が設定されていたときにステップＳ２８０にて第２ＯＴ増量係数設定用マップ等が設定されるとエンジンＥＣＵ２４のタイマ２４ｄにより計時が開始され、ステップＳ２９０では、当該タイマ２４ｄの計時値を入力して所定時間ｔ０と比較するものとした。第２ＯＴ増量係数設定用マップ等が設定されてからの経過時間が所定時間ｔ０を超えていない場合には、更に、第２ＯＴ増量係数設定用マップにより規定される増量係数を燃料噴射量が更に増量されるように補正するための過渡増量係数を設定すると共に、上述の点火時期設定用マップ第２ＳＡ補正用マップにより規定される点火時期の補正係数を更に進角側に補正するための進角係数を設定する（ステップＳ３００）。ステップＳ３００で設定される過渡増量係数は、第２ＯＴ増量係数設定用マップから得られる増量係数に乗じられるものであり、実施例では例えば１を上回る一定値（例えば、１．０５）とされる。また、進角係数は、第２ＯＴ増量係数設定用マップにより規定される増量係数と上述の過渡増量係数とに基づいて燃料噴射量を増量したときに、ノッキングが発生しない程度に点火時期を進角させるための係数であり、実施では例えば１を上回る一定値とされる。過渡増量係数と進角係数とを設定したならば、燃料カット禁止フラグＦｃを値１に設定して（ステップＳ２５０）、本ルーチンを一旦終了させる。このようにステップＳ２８０にて増量係数等を設定するためのマップとして第２ＯＴ増量係数設定用マップや第２ＳＡ補正用マップ等が設定され、ステップＳ３００にて過渡増量係数と進角係数とが設定された場合には、ステップＳ２５０で燃料カットが禁止され、エンジンＥＣＵ２４は、ハイブリッドＥＣＵ７０からの目標回転数Ｎｅ＊や目標トルクＴｅ＊等に基づいてエンジン２２に対する燃料噴射量、スロットルバルブ１２４の開度および点火時期を設定する際に、第２ＯＴ増量係数設定用マップから導出される燃料噴射量の増量係数とステップＳ３００で設定された過渡増量係数とに基づく燃料噴射量の増量や、第２ＴＡ補正用マップから導出される補正係数に基づくスロットル開度補正、更には、第２ＳＡ補正用マップから導出される補正係数とステップＳ３００で設定された進角係数とに基づく点火時期の設定（進角）を実行する。
【００３９】
さて、上述のようにステップＳ２６０で仮禁止フラグＦｔが値１とされると共にステップＳ２８０やステップＳ３００の処理が実行されると、基本的に触媒床温Ｔｃａｔは低下していくので、触媒劣化抑制判定ルーチンが再度実行された際にステップＳ２００にて入力した触媒床温Ｔｃａｔが第１の閾値Ｔｒｅｆ１未満であると判断されることがある。このため、触媒床温Ｔｃａｔが第１の閾値Ｔｒｅｆ１未満であるときには、仮禁止フラグＦｔが値１であるか否かを判定し（ステップＳ３１０）、仮禁止フラグＦｔが値１であれば、入力した触媒床温Ｔｃａｔが上述の第２の目標床温Ｔ２に基づいて定められる第２の閾値Ｔｒｅｆ２未満であるか否かを判定する（ステップＳ３２０）。触媒床温Ｔｃａｔが第２の閾値Ｔｒｅｆ２以上である場合には、入力した入力制限Ｗｉｎが限界値Ｗｉｎ１以下であるか否かを判定し（ステップＳ２７０）、入力制限Ｗｉｎが限界値Ｗｉｎ１以下であれば、第２ＯＴ増量係数設定用マップ、第２ＴＡ補正用マップおよび第２ＳＡ補正用マップをＲＯＭ２４ｂから読み出して設定すると共に（ステップＳ２８０）、第２ＯＴ増量係数設定用マップ等が設定されてからの経過時間が所定時間ｔ０を超えたか否か判定する（ステップＳ２９０）。当該経過時間が所定時間ｔ０を超えていなければ、上述のようにステップＳ３００の処理を実行し、当該経過時間が所定時間ｔ０を超えていれば、上述の過渡増量係数と進角係数とをそれぞれ値１に設定し（ステップＳ３３０）、燃料カット禁止フラグＦｃを値１に設定した上で（ステップＳ２５０）、本ルーチンを一旦終了させる。これにより、第２ＯＴ増量係数設定用マップ等が設定されてからの経過時間が所定時間ｔ０を超えると、第２ＯＴ増量係数設定用マップにより規定される増量係数の過渡増量係数を用いた更なる増量側への補正と、第２ＳＡ補正用マップにより規定される点火時期の補正係数の進角係数を用いた更なる進角側への補正とが行われなくなる。
【００４０】
また、ステップＳ２７０にて入力制限Ｗｉｎが限界値Ｗｉｎ１を上回っていると判断された場合には、仮禁止フラグＦｔを値０に設定した上で（ステップＳ３４０）、バッテリ５０の状態に応じて燃料カットの禁止を解除すべく燃料カット禁止フラグＦｃを値０に設定する（ステップＳ３５０）。これに対して、ステップＳ３２０にて触媒床温Ｔｃａｔが第２の閾値Ｔｒｅｆ２未満であると判断された場合には、排ガス浄化触媒がリーン雰囲気に晒されても劣化するおそれの少ない第２の目標床温Ｔ２まで触媒床温Ｔｃａｔが低下しているとみなし、仮禁止フラグＦｔを値０に設定した上で（ステップＳ３４０）、燃料カットの禁止を解除すべく燃料カット禁止フラグＦｃを値０に設定する（ステップＳ３５０）。更に、ステップＳ３１０で仮禁止フラグＦｔが値０であると判断される場合、第２ＯＴ増量係数設定用マップに従った燃料噴射量の増量を行うことなく触媒床温Ｔｃａｔが比較的低温の状態にあることになるので、この場合は、燃料カットを許容しても排ガス浄化触媒が劣化するおそれが少ないとみなして、燃料カット禁止フラグＦｃを値０に設定する（ステップＳ３５０）。
【００４１】
上述した一連の処理が実行されたときの入力制限Ｗｉｎの推移、触媒床温Ｔｃａｔの時間的推移、燃料噴射量の増量係数、点火時期、燃料カット禁止フラグＦｃ、および仮禁止フラグＦｔの設定状態を図１１のタイムチャートに例示する。なお、入力制限Ｗｉｎは、必ずしも時間変化に依存するものではないが、図１１では、説明をわかりやすくするために経時的に変化するものとして示している。図１１からわかるように、排ガス浄化触媒が高温状態（Ｔｃａｔ≧Ｔｒｅｆ１）にあるときにバッテリ５０の状態に応じて第１ＯＴ増量係数設定用マップが設定されると、当該マップに従ってエンジン２２に対する燃料噴射量が増量補正され、基本的に触媒床温Ｔｃａｔが概ね第１の目標床温Ｔ１に保たれることになる。また、排ガス浄化触媒が所定の温度域（例えば、８５０℃を超える領域）にあり、かつバッテリ５０の入力制限Ｗｉｎが仮限界値Ｗｉｎ０から限界値Ｗｉｎ１の範囲内にあるときには、仮禁止フラグＦｔが値１とされると共に第２ＯＴ増量係数設定用マップが設定され、基本的に触媒床温Ｔｃａｔが概ね第２の目標床温Ｔ２まで低下するようにエンジン２２に対する燃料噴射量が増量補正されることになる。そして、実施例では、第２ＯＴ増量係数設定用マップの設定から所定時間ｔ０が経過するまでの間、上述のように過渡増量係数と進角係数とが設定されるので、燃料噴射量の増量係数は、第２ＯＴ増量係数設定用マップにより本来規定されるもの（図１１における破線参照）よりも過渡増量係数が乗じられることより大きくなり、エンジン２２の点火時期は、点火時期設定用マップと第２ＳＡ補正用マップとから本来規定されるもの（図１１における破線参照）よりも更に進角させられることになる。このように過渡増量係数と進角係数とを設定することにより、触媒床温Ｔｃａｔを第１の目標床温Ｔ１から第２の目標床温Ｔ２まで低下させるのに要する時間Ｔ′は、過渡増量係数と進角係数とを設定しない場合（図１１における破線および時間Ｔ参照）に比べて短くなる。
【００４２】
以上説明したように、本実施例のハイブリッド自動車２０では、基本的にバッテリ５０の充電に許容される電力として設定される入力制限Ｗｉｎに基づいて、排ガス浄化触媒の温度を調整するためのエンジン２２に対する燃料噴射量の増量係数をそれぞれ規定する第１および第２ＯＴ増量係数設定用マップから何れかが設定される。また、入力制限Ｗｉｎが充電電力として仮限界値Ｗｉｎ０未満となり、燃料噴射量をより増量する傾向をもった第２ＯＴ増量係数設定用マップが設定される場合には、その設定から所定時間ｔ０が経過するまで、第２ＯＴ増量係数設定用マップにより規定される増量係数を燃料噴射量が更に増量されるように補正するための過渡増量係数と、エンジン２２の点火時期を点火時期設定用マップと第２ＳＡ補正用マップとから本来規定されるものよりも更に進角させるための進角係数とが設定される。これにより、入力制限Ｗｉｎに基づいて行われる燃料カットを禁止するか否かの判定結果に応じた燃料カットの禁止時（アクセルオン時と燃料噴射継続時とを含む）には、第２ＯＴ増量係数設定用マップの設定から所定時間ｔ０が経過するまでの間、第２ＯＴ増量係数設定用マップにより規定される増量係数と過渡増量係数とに基づく燃料噴射量の増量と、進角係数を用いた点火時期の進角を伴ってエンジン２２が運転されると共に、走行に要求される要求トルクＴｒ＊に基づく駆動力が出力されるようにエンジン２２とモータＭＧ１およびＭＧ２とが制御される。このように、燃料噴射量をより増量する傾向をもった第２ＯＴ増量係数設定用マップの設定直後に一時的に当該第２ＯＴ増量係数設定用マップに基づいて本来規定されるものよりも多くの燃料をエンジン２２に供給することにより、浄化装置１３４の排ガス浄化触媒の温度を早期に低下させることが可能となる。従って、ハイブリッド自動車２０では、入力制限Ｗｉｎが充電電力として仮限界値Ｗｉｎ０未満となった後に限界値Ｗｉｎ１に達して燃料カットの禁止が解除されるまでに排ガス浄化触媒の温度を十分に低下させておき、入力制限Ｗｉｎに基づいてエンジン２２に対する燃料カットの禁止が解除された後に燃料カットが実行されたときに排ガス浄化触媒の劣化を良好に抑制することが可能となる。また、上述のように、少なくとも第２ＯＴ増量係数設定用マップが設定されてから所定時間ｔ０が経過するまで、燃料噴射量の増量に併せてエンジン２２の点火時期を進角側に補正することにより、エンジン２２から排出される排ガスの温度を十分に低下させることが可能となるので、浄化装置１３４に含まれる排ガス浄化触媒の温度低下をより促進させることができる。
【００４３】
なお、上記実施例では、第２ＯＴ増量係数設定用マップの設定から所定時間ｔ０が経過するまでの間、過渡増量係数および進角係数を何れも１を上回る一定値としたが、これに限られるものではなく、図１１において二点鎖線で示すように、第２ＯＴ増量係数設定用マップの設定からの経過時間が所定時間ｔ０に近づいた時点から、過渡増量係数および進角係数を徐々に減少させるようにしてもよい。また、過渡増量係数を第２ＯＴ増量係数設定用マップの設定からの経過時間に応じて変化させると共に、進角係数を過渡増量係数に応じて変化させてもよい。
【００４４】
以上、実施例を用いて本発明の実施の形態について説明したが、本発明は上記実施例に何ら限定されるものではなく、本発明の要旨を逸脱しない範囲内において、様々な変更をなし得ることはいうまでもない。
【００４５】
すなわち、上記実施例のハイブリッド自動車２０では、駆動軸としてのリングギヤ軸３２ａとモータＭＧ２とがモータＭＧ２の回転数を減速してリングギヤ軸３２ａに伝達する減速ギヤ３５を介して連結しているが、減速ギヤ３５の代わりに、例えばＨｉ，Ｌｏの２段の変速段あるいは３段以上の変速段を有し、モータＭＧ２の回転数を変速してリングギヤ軸３２ａに伝達する変速機を採用してもよい。
【００４６】
また、上記実施例のハイブリッド自動車２０では、モータＭＧ２の動力を減速ギヤ３５により減速してリングギヤ軸３２ａに出力しているが、図１２に示す変形例としてのハイブリッド自動車１２０のように、モータＭＧ２の動力を変速機６５により変速してリングギヤ軸３２ａが接続された車軸（駆動輪６３ａ，６３ｂが接続された車軸）とは異なる車軸（図１２中、車輪６３ｃ，６３ｄに接続された車軸）に伝達するようにしてもよい。
【００４７】
更に、上記各実施例のハイブリッド自動車２０は、エンジン２２の動力を動力分配統合機構３０を介して駆動輪６３ａ，６３ｂに接続された駆動軸としてのリングギヤ軸３２ａに出力するものであるが、図１３に示す変形例としてのハイブリッド自動車２２０のように、エンジン２２のクランクシャフト２６に接続されたインナーロータ２３２と駆動輪６３ａ，６３ｂに動力を出力する駆動軸に接続されたアウターロータ２３４とを有し、エンジン２２の動力の一部を駆動軸に伝達すると共に残余の動力を電力に変換する対ロータ電動機２３０を備えるものであってもよい。
【図面の簡単な説明】
【００４８】
【図１】本発明の実施例に係るハイブリッド自動車２０の概略構成図である。
【図２】エンジン２２の概略構成図である。
【図３】実施例のハイブリッドＥＣＵ７０によりアクセルオン時に実行される駆動制御ルーチンの一例を示すフローチャートである。
【図４】バッテリ５０における電池温度Ｔｂと入出力制限Ｗｉｎ，Ｗｏｕｔとの関係の一例を示す説明図である。
【図５】バッテリ５０の残容量（ＳＯＣ）と入出力制限Ｗｉｎ，Ｗｏｕｔの補正係数との関係の一例を示す説明図である。
【図６】要求トルク設定用マップの一例を示す説明図である。
【図７】エンジン２２の動作ラインと目標回転数Ｎｅ＊と目標トルクＴｅ＊との相関曲線とを例示する説明図である。
【図８】動力分配統合機構３０における各回転要素の回転数とトルクとの力学的な関係を例示する共線図である。
【図９】実施例のエンジンＥＣＵ２４により実行される触媒劣化抑制判定ルーチンの一例を示すフローチャートである。
【図１０】（ａ）は第１ＯＴ増量係数設定用マップを例示する説明図であり、（ｂ）は第２ＯＴ増量係数設定用マップを例示する説明図である。
【図１１】図９の触媒劣化抑制判定ルーチンが実行されたときの入力制限Ｗｉｎの推移、触媒床温Ｔｃａｔの時間的推移、増量係数、点火時期、燃料カット禁止フラグＦｃ、および仮禁止フラグＦｔの設定状態を例示するタイムチャートである。
【図１２】変形例のハイブリッド自動車１２０の概略構成図である。
【図１３】変形例のハイブリッド自動車２２０の概略構成図である。
【符号の説明】
【００４９】
２０，１２０，２２０  ハイブリッド自動車、２２  エンジン、２４  エンジン用電子制御ユニット（エンジンＥＣＵ）、２４ａ，７２  ＣＰＵ、２４ｂ，７４  ＲＯＭ、２４ｃ，７６  ＲＡＭ、２４ｄ  タイマ、２６  クランクシャフト、２８  ダンパ、３０  動力分配統合機構、３１  サンギヤ、３２  リングギヤ、３２ａ  リングギヤ軸、３３  ピニオンギヤ、３４  キャリア、３５  減速ギヤ、４０  モータ用電子制御ユニット（モータＥＣＵ）、４１，４２  インバータ、４３，４４  回転位置検出センサ、５０  バッテリ、５１  温度センサ、５２  バッテリ用電子制御ユニット（バッテリＥＣＵ）、５４  電力ライン、６０  ギヤ機構、６２  デファレンシャルギヤ、６３ａ，６３ｂ  駆動輪、６３ｃ，６３ｄ  車輪、６５  変速機、７０  ハイブリッド用電子制御ユニット（ハイブリッドＥＣＵ）、８０  イグニッションスイッチ、８１  シフトレバー、８２  シフトポジションセンサ、８３  アクセルペダル、８４  アクセルペダルポジションセンサ、８５  ブレーキペダル、８６  ブレーキペダルポジションセンサ、８８  車速センサ、１２２  エアクリーナ、１２４  スロットルバルブ、１２６  燃料噴射弁、１２８  吸気バルブ、１３０  点火プラグ、１３２  ピストン、１３４  浄化装置、１３５  温度センサ、１３６  スロットルモータ、１３８  イグニッションコイル、１４０  クランクポジションセンサ、１４２  水温センサ、１４３  圧力センサ、１４４  カムポジションセンサ、１４６  スロットルバルブポジションセンサ、１４８  エアフローメータ、１４９  温度センサ、１５０  可変バルブタイミング機構、２３０  対ロータ電動機、２３２  インナーロータ、２３４  アウターロータ、ＭＧ１，ＭＧ２  モータ。
【図１】
2007168563.tif 000003
【図２】
2007168563.tif 000004
【図３】
2007168563.tif 000005
【図４】
2007168563.tif 000006
【図５】
2007168563.tif 000007
【図６】
2007168563.tif 000008
【図７】
2007168563.tif 000009
【図８】
2007168563.tif 000010
【図９】
2007168563.tif 000011
【図１０】
2007168563.tif 000012
【図１１】
2007168563.tif 000013
【図１２】
2007168563.tif 000014
【図１３】
2007168563.tif 000015